【手続補正書】
【提出日】平成18年4月10日(2006.4.10)
【手続補正１】
【補正対象書類名】特許請求の範囲
【補正対象項目名】全文
【補正方法】変更
【補正の内容】
【特許請求の範囲】
【請求項１】
外部回路からの指示に基づいて制御の開始及び停止を行うものであり、電源から電池を充電する充電電流を制御する充電制御回路において、
前記電源の供給能力が制限状態であることを検出し、前記電源の供給能力が制限状態である通知を前記外部回路に出力する制限状態通知手段を有することを特徴とする充電制御回路。
【請求項２】
前記充電制御回路は、電池が所定の充電特性に応じて充電されるように前記電池への充電を制御する第１の制御回路と、前記電源からの電力供給が制限状態を超えないように充電を制御する第２の制御回路を有し、前記制限状態通知手段は、前記第２の制御回路により充電が制御されていることを前記外部回路に向けて通知することを特徴とする請求項１の充電制御回路。
【請求項３】
前記電源は、前記電池の充電と負荷の為に電力を供給するためのものであることを特徴とする請求項１又は２記載の充電制御回路。
【請求項４】
前記電池に供給する充電電流は、前記電源の供給電流と前記負荷への供給電流との差となるように制御することを特徴とする請求項３記載の充電制御回路。
【請求項５】
前記電池は、並列に接続された複数の電池から構成されることを特徴とする請求項１乃至４いずれか一項に記載の充電制御回路。
【請求項６】
前記制限状態通知手段は、前記電池の充電電流を検出し、前記電池の充電電流に応じて前記電源の供給能力が制限状態である通知を前記外部回路に向けて出力することを特徴とする請求項１乃至４いずれか一項に記載の充電制御回路。
【請求項７】
前記制限状態通知手段は、前記電池の充電電流を検出し、前記電池の充電電流と前記電池の要求電流との誤差に応じて前記電源の供給能力が制限状態である通知を前記外部回路に向けて出力することを特徴とする請求項１又は２記載の充電制御回路。
【請求項８】
前記制限状態通知手段は、前記電池の充電電圧を検出し、前記電池の充電電圧に応じて前記電源の供給能力が制限状態であることを検出することを特徴とする請求項１乃至７のいずれか一項記載の充電制御回路。
【請求項９】
前記制限状態通知手段は、前記電池の充電電圧を検出し、前記電池の充電電圧と前記電池の要求電圧との誤差に応じて前記電源の供給能力が制限状態である通知を前記外部回路に向けて出力することを特徴とする請求項８記載の充電制御回路。
【請求項１０】
前記制限状態通知手段は、前記電源の出力電流を検出し、前記電源の出力電流に応じて前記電源の供給能力が制限状態である通知を前記外部回路に向けて出力することを特徴とする請求項１乃至９のいずれか一項記載の充電制御回路。
【請求項１１】
前記制限状態通知手段は、前記電源の出力電流を検出し、前記電源の出力電流と前記電源の最大供給可能電流との誤差に応じて前記電源の供給能力が制限状態である通知を前記外部回路に向けて出力することを特徴とする請求項１乃至１０のいずれか一項記載の充電制御回路。
【請求項１２】
前記制限状態通知手段は、前記電源の出力電圧を検出し、前記電源の出力電圧に応じて前記電源の供給能力が制限状態である通知を前記外部回路に向けて出力することを特徴とする請求項１乃至９のいずれか一項記載の充電制御回路。
【請求項１３】
前記制限状態通知手段は、前記電源の出力電圧を検出し、前記電源の出力電圧と予め設定された所定の電圧との誤差に応じて前記電源の供給能力が制限状態である通知を前記外部回路に向けて出力することを特徴とする請求項１０記載の充電制御回路。
【請求項１４】
前記制限状態通知手段が通知する前記電源の供給能力が制限状態であることは、前記電源の供給能力が制限状態であることである請求項１乃至１３のいずれか一項に記載の充電制御回路。
【請求項１５】
前記制限状態通知手段が通知する前記電源の供給能力が制限状態であることは、前記電源の電力供給能力が制限状態であることである請求項１乃至１３のいずれか一項に記載の充電制御回路。
【請求項１６】
制御の開始及び停止を指示する制御回路と、該制御回路からの指示に基づいて制御の開始及び終了を行い、電源から電池を充電する充電制御回路とからなる充電装置において、
前記充電制御回路は、前記電源の供給能力が制限状態であることを検出し、前記電源の供給能力が制限状態である通知を前記制御回路に向けて出力する制限状態通知手段を有することを特徴とする充電装置。
【請求項１７】
前記充電制御回路は、電池が所定の充電特性に応じて充電されるように前記電池への充電を制御する第１の制御回路と、前記電源からの電力供給が制限状態を超えないように充電を制御する第２の制御回路を有し、前記制限状態通知手段は、前記第２の制御回路により充電が制御されていることを前記制御回路に向けて通知することを特徴とする請求項１６記載の充電装置。
【請求項１８】
前記電源は、前記電池の充電と負荷の為に電力を供給するためのものであることを特徴とする請求項１６又は１７記載の充電装置。
【請求項１９】
前記充電制御回路は、前記電池に供給する充電電流を、前記電源の供給電流と前記負荷への供給電流との差となるように制御する請求項１８記載の充電装置。
【請求項２０】
前記電池は、並列に接続された複数の電池から構成されることを特徴とする請求項１５乃至１７のいずれか一項に記載の充電装置。
【請求項２１】
電源が接続され、該電源から負荷に電流を供給するとともに、電池が接続され、該電源により該電池を充電する充電装置において、
前記電源から前記電池に供給する電流を制御する電流制御手段と、前記電池の充電状態を検出して、前記電流制御手段を制御する制御手段と、前記電源の供給能力が制限状態であることを検出する制限状態検出手段を有することを特徴とする充電装置。
【請求項２２】
前記電池に供給する充電電流は、前記電源の供給電流と前記負荷への供給電流との差となるように制御することを特徴とする請求項２１記載の充電装置。
【請求項２３】
前記電池は、並列に接続された複数の電池からなることを特徴とする請求項２１記載の充電装置。
【請求項２４】
前記制限状態通知手段は、前記電池の充電電流を検出し、前記電池の充電電流に応じて前記電源の供給能力が制限状態である通知を出力することを特徴とする請求項２１乃至２３のいずれか一項記載の充電装置。
【請求項２５】
前記制限状態通知手段は、前記電池の充電電流を検出し、前記電池の充電電流と前記電池の要求電流との誤差に応じて前記電源の供給能力が制限状態である通知を出力することを特徴とする請求項２４記載の充電装置。
【請求項２６】
前記制限状態通知手段は、前記電池の充電電圧を検出し、前記電池の充電電圧に応じて前記電源の供給能力が制限状態であることを検出する制限状態検出手段を有することを特徴とする請求項２１乃至２５のいずれか一項記載の充電装置。
【請求項２７】
前記制限状態通知手段は、前記電池の充電電圧を検出し、前記電池の充電電圧と前記電池の要求電圧との誤差に応じて前記電源の供給能力が制限状態である通知を出力することを特徴とする請求項２６記載の充電装置。
【請求項２８】
前記制限状態通知手段は、前記電源の出力電流を検出し、前記電源の出力電流に応じて前記電源の供給能力が制限状態である通知を出力することを特徴とする請求項２１乃至２７のいずれか一項記載の充電装置。
【請求項２９】
前記制限状態通知手段は、前記電源の出力電流を検出し、前記電源の出力電流と前記電源の最大供給可能電流との誤差に応じて前記電源の供給能力が制限状態である通知を出力することを特徴とする請求項２１乃至２８のいずれか一項記載の充電装置。
【請求項３０】
前記制限状態通知手段は、前記電源の出力電圧を検出し、前記電源の出力電圧に応じて前記電源の供給能力が制限状態である通知を出力することを特徴とする請求項２１乃至２９のいずれか一項記載の充電装置。
【請求項３１】
前記制限状態通知手段は、前記電源の出力電圧を検出し、前記電源の出力電圧と予め設定された所定の電圧との誤差に応じて前記電源の供給能力が制限状態である通知を出力することを特徴とする請求項３０記載の充電装置。
【請求項３２】
電源から電池を充電する充電電流を制御する充電制御方法において、
前記電源の供給能力が制限状態であることを検出し、前記検出に基づき電源の供給能力が制限状態である通知を出力することを特徴とする充電制御方法。
【請求項３３】
前記充電制御方法は、前記電源から負荷に電流を供給するとともに、前記電源により前記電池を充電するものであり、
前記通知に基づいて、前記電源の供給能力が制限状態であるときには、前記電池の充電状態を停止しないようにすることを特徴とする請求項３２記載の充電制御方法。
【請求項３４】
前記電池に供給する充電電流は、前記電源の供給電流と前記負荷への供給電流との差となるように制御する請求項３３記載の充電制御方法。
【請求項３５】
前記電池は、並列に接続された複数の電池からなることを特徴とする請求項３２乃至３４のいずれか一項記載の充電制御方法。
【手続補正２】
【補正対象書類名】明細書
【補正対象項目名】発明の名称
【補正方法】変更
【補正の内容】
【発明の名称】充電制御装置、及び、充電装置、並びに、充電制御方法
【手続補正３】
【補正対象書類名】明細書
【補正対象項目名】０００１
【補正方法】変更
【補正の内容】
【０００１】
本発明は充電制御装置、及び、充電装置、並びに、充電制御方法に係り、特に、電池の充電を制御する充電制御装置、及び、充電装置、並びに、充電制御方法に関する。
【手続補正４】
【補正対象書類名】明細書
【補正対象項目名】００６４
【補正方法】変更
【補正の内容】
【００６４】
本発明は、上記の点に鑑みてなされたもので、充電電流の制限条件が電池の受入れ能力で制限されているのか、充電器側の都合で制限しているのかを識別するための信号を出力させることで、充電完了の誤検出を防止するようにした充電制御装置、及び、充電装置、並びに、充電制御方法を提供することを目的とする。
【手続補正５】
【補正対象書類名】明細書
【補正対象項目名】００６５
【補正方法】変更
【補正の内容】
【００６５】
本発明は、外部回路からの指示に基づいて制御の開始及び停止を行うものであり、電源から電池を充電する充電電流を制御する充電制御回路において、電源の供給能力が制限状態であることを検出し、電源の供給能力が制限状態である通知を外部回路に出力する制限状態通知手段を有することを特徴とする。
また、本発明は、制御の開始及び停止を指示する制御回路と、該制御回路からの指示に基づいて制御の開始及び終了を行い、電源から電池を充電する充電制御回路とからなる充電装置において、充電制御回路に電源の供給能力が制限状態であることを検出し、電源の供給能力が制限状態である通知を制御回路に向けて出力する制限状態通知手段を有することを特徴とする。
【手続補正６】
【補正対象書類名】明細書
【補正対象項目名】００６６
【補正方法】変更
【補正の内容】
【００６６】
さらに、本発明は、電源から電池を充電する充電電流を制御する充電制御方法において、電源の供給能力が制限状態であることを検出し、検出に基づき電源の供給能力が制限状態である通知を出力することを特徴とする。
【手続補正７】
【補正対象書類名】明細書
【補正対象項目名】００６７
【補正方法】変更
【補正の内容】
【００６７】
本発明によれば、電源の供給能力が制限状態であることを検出し、電源の供給能力が制限状態である通知を外部回路に出力することにより、電源の電流供給能力が制限状態であり、負荷に電流が供給され、電池の充電電流が低下したときに、電池の充電が完了したと誤検出し、電池の充電状態を停止することを防止でき、これによって、電池を確実に充電することができる等の特長を有する。